(57)【特許請求の範囲】
【請求項１】
回動可能に支持され、かつ復帰スプリングにより一方向に付勢されたラッチ受けとトリップバーとを有し、常時は開閉スプリングのばね力を受ける開閉機構のラッチを前記ラッチ受けで係止し、またこのラッチ受けを前記トリップバーの爪で係止するとともに、過電流発生時には前記トリップバーを回転駆動して前記ラッチ受け及びラッチの係止を順次解除し、前記開閉スプリングの作用で開極する回路遮断器において、
ラッチ受けおよびトッリプバーを支持するユニットケースを設け、このユニットケースに形成された軸受溝により支承されたトリップバーと前記ラッチ受けとに前記復帰スプリングを掛け渡した上で、前記ラッチ受けの支軸を前記ユニットケースに形成されたU字状の軸受溝に挿入し前記復帰スプリングの張力でこの支軸を軸受溝内に保持するようにしたことを特徴とする回路遮断器。
【発明の詳細な説明】
【０００１】
【発明の属する技術分野】
この発明は、配線用遮断器や漏電遮断器などの回路遮断器に関し、詳しくはラッチ受けとトリップバーの復帰スプリングの取付を簡単にした改良に関する。
【０００２】
【従来の技術】
常時は開閉機構のラッチがラッチ受けを介してトリップバーに係止され、過電流発生時には過電流引外し装置によってトリップバーが回転駆動されることによりラッチの係止が解除され、開閉スプリングの作用が反転して開極する回路遮断器は周知である（例えば、実公昭６０−２９７９３号公報参照）。ラッチ受け及びトリップバーには、それぞれラッチ及びラッチ受けから受ける回転力に抗して作用する復帰スプリングが個別に、あるいは上記実公昭６０−２９７９３号に見られるように共通に装着され、トリップ動作後のリセット（ラッチの再係止）に備えている。
【０００３】
【発明が解決しようとする課題】
その場合、従来の回路遮断器においては、ラッチ受けやトリップバーを開閉機構の支持フレームや本体ケースなどに組み付けてから、復帰スプリングの端部を治具を用いてばね受け部に掛けているが、復帰スプリングをそのばね力に逆らって撓ませながら、上記支持フレーム内や本体ケース内の狭い作業スペースでばね受け部に掛ける作業は厄介であった。
この発明の課題は、上記復帰スプリングの取付が簡単にできるようにすることにある。
【０００４】
上記課題を解決するために、この発明は、回動可能に支持され、かつ復帰スプリングにより一方向に付勢されたラッチ受けとトリップバーとを有し、常時は開閉スプリングのばね力を受ける開閉機構のラッチを前記ラッチ受けで係止し、またこのラッチ受けを前記トリップバーの爪で係止するとともに、過電流発生時には前記トリップバーを回転駆動して前記ラッチ受け及びラッチの係止を順次解除し、前記開閉スプリングの作用で開極する回路遮断器において、ラッチ受けおよびトッリプバーを支持するユニットケースを設け、このユニットケースに形成された軸受溝により支承されたトリップバーと前記ラッチ受けとに前記復帰スプリングを掛け渡した上で、前記ラッチ受けの支軸を前記ユニットケースに形成されたU字状の軸受溝に挿入し前記復帰スプリングの張力でこの支軸を軸受溝内に保持するようにしたことを特徴とするものである。
【０００５】
このような手段によれば、ラッチ受けを軸受部に支承させる前に、復帰スプリングを自由状態（張力を生じていない状態）のままでトリップバーとラッチ受けとに掛け渡し、その後、ラッチ受けの支軸をＵ字溝からなる軸受部に収めて復帰スプリングに張力を生じさせ、その張力でラッチ受けの支軸をそのまま軸受溝内に保持できるので、復帰スプリングを引き伸ばしながら掛ける困難な作業がなく、また作業スペースの制約も少ない。
【０００６】
【発明の実施の形態】
以下、図１〜図６に基づいてこの発明の実施の形態を説明する。まず、図６は３極回路遮断器の全体構成を示す縦断面図で、回路遮断器は本体ケース１とカバー２とからなる絶縁物の容器内に、開閉機構部や過電流引外し装置が収容されて構成されている。図６はＯＮ状態を示し、電流経路は、一端に電源側端子３ａが一体形成された固定接触子３、可動接触子４、一端が可動接触子４に接続されたリード線５、リード線５の他端が一方の引出し線に接続された過電流引外し装置６の電磁コイル６ａ、電磁コイル６ａの他方の引出し線が接続された負荷側端子７の順で形成される。
【０００７】
過電流引外し装置６は、Ｌ字形のヨーク６ｂに結合されたオイルダシュポット６ｃに電磁コイル６ａが装着され、オイルダシュポット６ｃの頭部の接極子６ｄと対向してアーマチュア６ｅがヨーク６ｂに取り付けられた構成の完全電磁形のもので、アーマチュア６ｅはヨーク６ｂとの間に設けられた復帰スプリング６ｆにより図示姿勢に保たれている。各極の過電流引外し装置６は各極共通のユニットケース８に挿入保持され、このユニットケース８を介して一括して本体ケース１に組み込まれている。
【０００８】
可動接触子４は図の上端で、開閉レバー９のレバーアーム９ａの先端に、支軸４ａを介して回動自在に連結されている。開閉レバー９は支軸９ｂを介して本体ケース１の軸受溝に回動自在に支承され、カバー２で保持されている。可動接触子４とラッチ１０との間には引張コイルばねからなる開閉スプリング１１が掛け渡され、可動接触子４は開閉スプリング１１の張力により支軸４ａを支点に図の時計方向に回転力を受け、固定接触子３に押圧されている。ラッチ１０は支軸１０ａを介して本体ケース１の軸受溝に回動自在に支承され、カバー２で保持されている。
【０００９】
ラッチ１０は開閉スプリング１１の張力により支軸１０ａを支点に図の時計方向に回転力を受けているが、先端がラッチ受け１２に係止されて図示姿勢に保持されている。ラッチ受け１２は一体形成された支軸１２ａを介して、ユニットケース８に回動自在に支持されている。このラッチ受け１２は、ラッチ３から支軸１２ａを支点に図の反時計方向に回転力を受けているが、フック１２ｂがトリップバー１３の爪１３ａに当接して図示姿勢に係止されている。樹脂成形品のトリップバー１３は、各極を横断する円筒軸１３ｂに各極別にアーマチュア６ｅと対向する引外しアーム１３ｃが一体形成され、円筒軸１３ｂを介してユニットケース８に回動自在に支承されている。ラッチ受け１２とトリップバー１３との間には、引張コイルばねからなる復帰スプリング１４が掛け渡され、ラッチ受け１２は図の時計方向に、またトリップバー１３は反時計方向に付勢されている。
【００１０】
図６において、カバー２から突出する開閉レバー９のハンドル９ｃを破線位置まで回動操作すると、可動接触子４に対する開閉スプリング１１の作用が反転し、可動接触子４は反時計方向に駆動されて固定接触子３から開離する（ＯＦＦ動作）。一方、過電流状態では過電流引外し装置６のアーマチュア６ｅが接極子６ｄに吸引され、このアーマチュア６ｅはトリップバー１３の引外しアーム１３ｃを押してトリップバー１３を図の時計方向に回動させる。これにより、トリップバー１３の爪１３ａがラッチ受け１２のフック１２ｂから外れ、係止を解かれたラッチ受け１２は図の反時計方向に回動する。それに伴い、ラッチ３はラッチ受け１２による係止を解かれ、図の時計方向に回動する結果、開閉スプリング１１の可動接触子４に対する作用が反転して、可動接触子４は固定接触子３から開離する（トリップ動作）。
【００１１】
図２はトリップバー１３を示す斜視図である。すでに述べたように、円筒軸１３ｂには各極別に引外しアーム１３ｃが設けられているが、中央部は一定の幅で大径部１３ｄが設けられ、その一端側に一定の間隔を介して扇形突部からなる爪１３ａが一体形成されている。爪１３ａ上には後述する作用をするストッパ片１３ｅがかぎ形に一体形成されている。円筒軸１３ｂの一端に引外しアーム１３ｃとほぼ直交する向きに突出形成された腕部１３ｆは、手動でトリップ動作をさせる際に、図示しないトリップ押ボタンを突き当ててトリップバー１３を回動させるためのものである。
【００１２】
また、円筒軸１３ｂの中央極部分には、円筒軸１３ｂの軸方向に沿ってかぎ形に曲がるばね掛け片１３ｇが一体形成されている。このばね掛け片１３ｇには、トリップバー１３をユニットケース８に組み付ける前に、図２に示すように復帰スプリング１４の一端のフックを掛ける。その場合、ばね掛け片１３ｇの外径は復帰スプリング１４のフックの内径よりやや大径に形成されており、フックが押し広げられて掛けられた復帰スプリング１４は図２に示すように片持ち保持される。
【００１３】
復帰スプリング１４を保持したトリップバー１３は、図３に示すようにユニットケース８に取り付けられる。ここで、ユニットケース８にはラッチ受け１２及びトリップバー１３を支持するための左右一対の支持板８ａが一体に立ち上げ形成されており、この支持板８ａの上端面にはラッチ受け１２を支承するためのＵ字状の軸受溝１５が、また前端面にはトリップバー１３を支承するためのやはりＵ字状の軸受溝１６が切り欠き形成されている。そこでまず、トリップバー１３の円筒軸１３ｂを軸受溝１６に挿入し、図３に示すように支承させる。その際、円筒軸１３ｂの大径部１３ｄは、左右の支持板８ａの内側に挟み込まれ、円筒軸１３ｂを軸方向に位置決めする。また、大径部１３ｄと爪１３ａとの間の間隙に図３の左側の支持板８ａが入り込む。
【００１４】
次に、トリップバー１３に一端で保持された復帰スプリング１４の他端を、図４に示すようにラッチ受け１２に掛ける。ここで、鋼板からなるラッチ受け１２は、方形の係止部１２ｃの両側に支持アーム１２ｄを有し、その先端に支軸１２ａが外側に突出形成されるとともに、片方の支持アーム１２ｄの先端には、ばね掛け片１２ｅがかぎ形に一体形成されている。また、係止部１２ｃの前端側には側方に張り出すように、フック１２ｂが一体形成されている。そこで、ラッチ受け１２のばね受け片１２ｅを自由状態の復帰スプリング１４のフックに挿入し、このラッチ受け１２はひとまず図４に示すようにユニットケース８上に載置保持する。
【００１５】
次に、ラッチ受け１２を前方（図４の右方向）に移動させ、図５に示すように支軸１２ａを軸受溝１５内に滑り込ませて収める。その後、ラッチ受け１２を図５に実線矢印で示す方向に回しながら、トリップバー１３を破線矢印で示す方向に回し、ラッチ受け１２のフック１２ｂをトリップバー１３のストッパ片１３ｅの内側に入り込ませる。この過程で復帰スプリング１４は引き伸ばされ、適度の張力を発生する。そこで、ラッチ受け１２とトリップバー１３とを開放すれば、図１に示すように、フック１２ｂがストッパ片１３ｅに当接して停止し取付が完了する。そして、ラッチ受け１２は復帰スプリング１４の張力で下方に引張られ、支軸１２ａは軸受溝１５内に保持される。
【００１６】
この状態でフック１２bは爪１３ａの円弧面に対面するが、ラッチ１０が係止部１２ｃで係止されると、開閉スプリング１１の張力に基づいてラッチ１０から回転力を受けたラッチ受け１２はフック１２ｂが爪１３ａの円弧面に当接することにより係止される。トリップバー１３が過電流引外し装置６のアーマチュア６ｅにより引外しアーム１３ｃが押されて、図１の矢印方向に回動すると、フック１２ｂが爪１３ａから外れてラッチ受け１２の係止が解かれ、これに伴ってラッチ受け１２によるラッチ１０の係止が解かれて、すでに述べたように回路遮断器がトリップする。
【００１７】
【発明の効果】
以上説明した通り、この発明は、ラッチ受けおよびトッリプバーを支持するユニットケースを設け、このユニットケースに形成された軸受溝により支承されたトリップバーと前記ラッチ受けとに前記復帰スプリングを掛け渡した上で、前記ラッチ受けの支軸を前記ユニットケースに形成されたU字状の軸受溝に挿入し前記復帰スプリングの張力でこの支軸を軸受溝内に保持するようにしたので、復帰スプリングを自由状態のままでトリップバーとラッチ受けに掛け、その後、ラッチ受けの支軸を軸受溝内に納めて復帰スプリングに張力を生じさせることができ、一端をトリップバーに掛けた復帰スプリングを狭い作業スペース内で治具などを用いて引き伸ばし、その他端を予め取付けられたラッチ受けに掛けるという困難な作業がなく、復帰スプリングを簡単かつ確実に装着することができる。
【図面の簡単な説明】
【図１】この発明の実施の形態を示す回路遮断器のトリップバー、ラッチ受け及び復帰スプリングの取付状態を示す斜視図である。
【図２】図１におけるトリップバーを示す斜視図である。
【図３】図２のトリップバーを取り付けた状態を示す斜視図である。
【図４】図３における復帰スプリングをラッチ受けに掛けた状態を示す斜視図である。
【図５】図４におけるラッチ受けの支軸を軸受溝に収めた状態を示す斜視図である。
【図６】この発明の実施の形態を示す回路遮断器の全体構成を示す縦断面図である。
【符号の説明】
１０    ラッチ
１１    開閉スプリング
１２    ラッチ受け
１２ａ  支軸
１２ｂ  フック
１３    トリップバー
１３ａ  爪
１４    復帰スプリング
１５    軸受溝
１６    軸受溝
【図１】
0003786222.tif 000002
【図２】
0003786222.tif 000003
【図３】
0003786222.tif 000004
【図４】
0003786222.tif 000005
【図５】
0003786222.tif 000006
【図６】
0003786222.tif 000007